(57)【要約】【課題】指示対象エリアに検知のための装置構成を配する必要がない指示区画検知装置を提供する。【解決手段】本発明の指示区画検知装置は、人の指や手などが指示する指示対象エリア５０中の所定区画を検知する指示区画検知装置において、それぞれの検知領域を一部重なるようにして配置した複数の焦電型赤外線センサＳ１１乃至Ｓ１５と、該複数の焦電型赤外線センサＳ１１乃至Ｓ１５から出力される信号を処理する情報処理手段と、を有し、該所定区画は該複数の焦電型赤外線センサＳ１１乃至Ｓ１５の検知領域の境界によって分割された単位区画であることを特徴とする。【選択図】      図１
2009080652.tif 000002
【特許請求の範囲】
【請求項１】
人の指や手などが指示する指示対象エリア中の所定区画を検知する指示区画検知装置において、
それぞれの検知領域を一部重なるようにして配置した複数の焦電型赤外線センサと、
該複数の焦電型赤外線センサから出力される信号を処理する情報処理手段と、を有し、
該所定区画は該複数の焦電型赤外線センサの検知領域の境界によって分割された単位区画であることを特徴とする指示区画検知装置。
【請求項２】
該複数の焦電型赤外線センサを一列に並べて配置することを特徴とする請求項１に記載の指示区画検知装置。
【請求項３】
該複数の焦電型赤外線センサを２次元の方向にわたって配置することを特徴とする請求項１に記載の指示区画検知装置。
【発明の詳細な説明】
【技術分野】
【０００１】
本発明は、人の指や手が指示する区画を検知して、情報処理装置の入力としたり、表示装置の点灯に供したりすることを可能とする指示区画検知装置に関する。
【背景技術】
【０００２】
従来、指示区画を情報処理装置などに入力するための、人の指などの接触の有無を検知するタッチセンサとしては、抵抗膜方式、静電容量方式、超音波方式、光ファイバ方式、光学方式などの種々の方式が提案、実用されている。このうち、前４方式のセンサでは、接触を検知しようとする検知領域の平面自体にセンサ部品を構成するものである。
【０００３】
また、光学式センサを用いる光学方式の場合には、例えば、発光部と受光部の赤外線が接触によって遮断されることを検知に用いているため、発光部と受光部とともに受光部を検知部の周囲に取り付ける構成となっている。
【０００４】
例えば抵抗膜方式のタッチセンサとしては、特許文献１（特開２００５−３３９３９４号公報）に、内面側主面に透明電極が形成され、該透明電極の一方方向に延びる一対の端部に接続する配線を形成した一方の基板と、内面側主面に透明電極が形成され、該一方方向と直交する他方方向に延びる一対の端部に接続する配線を形成した他方の基板とを、互いに透明電極どうしを、所定間隔をおいて対向させて両基板の内面外周囲に配した接着材により貼り合わせて成るタッチパネルにおいて、前記接着材は、樹脂からなる主成分に平均粒子径が０．０４〜０．１５ｍｍのプラスチック、無機材料または金属からなる粒子を含有させたことを特徴とするタッチパネルが開示されている。
【０００５】
また、光学方式のものとしては特許文献２（特開特開２００５−２９５３９９号公報）に、透明材料で形成されたタッチパネルと、タッチパネルの背面側に積層配置され、任意の表示をタッチパネルを通して表示可能な表示パネルと、各光スイッチユニットが、タッチパネルの表面側へ光検知信号を発光する発光手段と、タッチパネルの表面側で反射された光検知信号を受光可能な受光手段とを対として有し、それぞれタッチパネルに設定される各入力エリアに対応してその背面側に配置される複数の光スイッチユニットと、複数の光スイッチユニットの少なくともいずれか特定の光スイッチユニットの発光手段から光検知信号を発光制御し、対となる受光手段による受光量の増加からタッチパネルへの入力操作を検知する入力操作検知手段と、複数の光スイッチユニットの各発光手段から異なるタイミングで光検知信号を発光制御し、いずれかの受光手段が対となる発光手段の発光タイミングで光検知信号を受光することから、入力操作されている入力エリアを検知する入力位置検知手段と、を備えることを特徴とするタッチパネル入力装置が開示されている。
【特許文献１】特開２００５−３３９３９４号公報
【特許文献２】特開２００５−２９５３９９号公報
【発明の開示】
【発明が解決しようとする課題】
【０００６】
特許文献１に記載されているタッチパネルでは、人の指などの接触を検知しようとする全領域にわたって２つの透明電極を互いに対向させるようにして形成する必要があり、広い検知領域をカバーするものを製作することは困難である、という問題を有していた。このような問題については抵抗膜方式に限らず、静電容量方式、超音波方式、光ファイバ方式のものについても共通するものである。
【０００７】
また、特許文献２に記載されている光学方式のものについては、表面側へ光検知信号を発光する発光手段と、タッチパネルの表面側で反射された光検知信号を受光可能な受光手段とからなる複数の光スイッチユニットを検知領域に設ける必要があり、構成が複雑であると共に、コスト的にも高いものとなる、という問題があった。すなわち、光学方式では、受光手段及び発光手段の２つの光学素子を準備しなければならないし、また、これら２つの光学素子は精度高く配置しなければならず製造時に手間がかかる、という課題を有している。
【０００８】
また、特許文献１及び特許文献２に共通の課題としては、既存の案内板などに後付けで装置を設けることが非常に困難である、というものがある。例えば、既に案内板で地図などの情報を提供している状態にあり、さらに地図をユーザーが指さすことによって、指さしたエリアに関する情報を提供するサービスを開始したいと考えた場合、従来のタッチパネルなどの検知装置によれば、地図上にセンシングのための構成を設ける必要があるために、前記案内板を一新しなくてはならず、簡便に設置することができない、という問題があった。
【課題を解決するための手段】
【０００９】
上記のような種々の課題を解決するために、本発明の請求項１に係る発明は、人の指や手などが指示する指示対象エリア中の所定区画を検知する指示区画検知装置において、それぞれの検知領域を一部重なるようにして配置した複数の焦電型赤外線センサと、該複数の焦電型赤外線センサから出力される信号を処理する情報処理手段と、を有し、該所定区画は該複数の焦電型赤外線センサの検知領域の境界によって分割された単位区画であることを特徴とする。
【００１０】
また、請求項２に係る発明は、請求項１に記載の指示区画検知装置において、該複数の焦電型赤外線センサを一列に並べて配置することを特徴とする。
【００１１】
また、請求項３に係る発明は、請求項１に記載の指示区画検知装置において、該複数の焦電型赤外線センサを２次元の方向にわたって配置することを特徴とする。
【発明の効果】
【００１２】
本発明の指示区画検知装置によれば、指示対象エリアに検知のための装置構成を配する必要がなく、広い検知領域をカバーするものを製作しやすい。
【００１３】
また、本発明の指示区画検知装置では、焦電型赤外線センサが用いられており、この焦電型赤外線センサは発光素子や受光素子などのペアとして用いる必要がないため、部品点数を削減可能で、コスト的にも安く製作することができる。また、発光素子や受光素子などの光軸合わせなどが不要で、高精度を要求されないために製造時の手間もかからない。
【００１４】
また、本発明の指示区画検知装置は、指示対象エリアの外側に設ける構成であり、かつ、高精度な調整が不要であるために、既存の案内板などに後付けで設置することが可能となる。また、本発明の指示区画検知装置は、エリア検知のための焦電型赤外線センサ配置のレイアウト自由度が高い。
【発明を実施するための最良の形態】
【００１５】
以下、本発明の実施の形態を図面を参照しつつ説明する。図１は本発明の実施の形態に係る指示区画検知装置の実装状態を斜視的に示す図であり、図２は本発明の実施の形態に係る指示区画検知装置のブロック構成を示す図である。
【００１６】
図１及び図２において、Ｓ１１乃至Ｓ１５は焦電型赤外線センサ、５はＣＰＵ、６はＲＯＭ、７はＲＡＭ、８は出力制御部、５０は指示対象エリア、５１は赤外線遮蔽物、５２は赤外線遮蔽物、Ｒ１３は焦電型赤外線センサＳ１３の検知領域、Ｆは人の手・指などの指示体をそれぞれ示している。
【００１７】
本発明の指示区画検知装置は、例えば地図情報、案内情報などの指示対象エリア５０を、人が指などで指さしたとき、指示対象エリア５０のうちどの領域を指さしているかを検知するものである。本発明の指示区画検知装置は、原理的には指示対象エリア５０を指などで接触することなく検知することが可能であるので、タッチパネルと称呼することはできないかもしれないが、従来のタッチパネルなどと同様の使用形態をとることができる。
【００１８】
本発明の指示区画検知装置では、焦電型赤外線センサを用いてセンシングを行うが、この焦電型赤外線センサに利用される焦電素子はどんな波長の光にも応答し、波長依存性が無い。そこで、人間の体温が出す波長と、電球、蛍光ランプ、火災の炎、などが出す波長がはっきりと異なることに着目し、焦電型赤外線センサの窓に「人間から発せられる赤外線の波長だけ通す光フィルタ」が設けられる構成となっている。これによって、人間の体温程度（動物やお湯やクルマのボンネット）にしか反応しなくなる。焦電型赤外線センサは焦電効果（パイロ電子効果）を検出に利用しており、赤外線の「変化」の検出を行うようになっている。よって検出されるのは「人の手・指などがセンシング域に入ったとき」或いは「出たとき」となる。
【００１９】
指示対象エリア５０の上には、図示するように焦電型赤外線センサＳ１１乃至Ｓ１５を配置し、センサ下方の赤外線を発するものを検知する。この焦電型赤外線センサは、一般に人感センサと呼ばれているものを用いることができる。焦電型赤外線センサの先端にはマルチレンズという光学的レンズの集合体が取り付けられている。そして、このマルチレンズによって、所定の検知領域からの赤外線を集光してセンシング素子部本体に導くようになっている。当該マルチレンズによってセンサのセンシング素子部本体上に焦点がくる角度で、赤外線を検知すると電気信号を発生する。マルチレンズにおけるそれぞれのレンズの間には、ほとんど電気信号が発生しない角度がある。焦電型赤外線センサの検知領域において、赤外線を発する物体（本発明では、人の手・指などの指示体Ｆ）が移動して、電気信号発生→電気信号非発生→電気信号の発生、という信号の変化が検知されたときに、焦電型赤外線センサは指示体Ｆを検知したとするものである。なお、本明細書においては便宜上焦電型赤外線センサが指示体Ｆを検知したときをＨＩＧＨ、検知していないときをＬＯＷなどと表現することがある。
【００２０】
本実施形態では焦電型赤外線センサを５つ設ける構成に基づいて説明しているが、本発明の指示区画検知装置は焦電型赤外線センサを２つ以上の任意の数によって構成することが可能である。
【００２１】
以上のように構成されている焦電型赤外線センサのうち、例えば焦電型赤外線センサＳ１３の検知領域Ｒ１３が図１に示されている。図１には簡潔のために焦電型赤外線センサＳ１３の検知領域Ｒ１３のみが図示されているが、本発明の指示区画検知装置では、焦電型赤外線センサＳ１１、焦電型赤外線センサＳ１２、焦電型赤外線センサＳ１４、焦電型赤外線センサＳ１５の全てを同時に検知状態として用いるものである。図１に示すように略三角形をした所定の幅を持つエリアが、焦電型赤外線センサの検知領域である。なお、どの程度の幅を持たせるかは前記のマイクロレンズの設定によって変更することができる。例えば、指示区画検知装置によって、指示対象エリア５０至近で指示体Ｆを検知しようとする場合は前記の幅を限りなく短くすればよく、指示対象エリア５０からある程度離れた距離でも指示体Ｆを検知可能に設定する場合には前記幅に所定の長さを持たせるようにすればよい。Ａ−Ａ’及びＢ−Ｂ’は検知領域Ｒ１３が形成する境界である。これらＡ−Ａ’及びＢ−Ｂ’は前述の幅に応じて、線に近いものとなることもあるし、矩形面となることもある。
【００２２】
赤外線遮蔽物５１、５２は図示するように位置に配置され、所定領域以外の赤外線を焦電型赤外線センサが検知しないようにしている。焦電型赤外線センサの検知領域は、例えば略扇形をした幅を持つエリアであるが、赤外線遮蔽物５２が設けられているために、上述のように焦電型赤外線センサＳ１１乃至Ｓ１５の検知領域Ｒ１１乃至Ｒ１５は略三角形をした所定の幅を持つエリアとなっている。なお、焦電型赤外線センサ自体の検知領域はマルチレンズの種類を代えることによって種々選択することが可能である。
【００２３】
図１に示すような焦電型赤外線センサＳ１３の検知領域Ｒ１３に、指示体Ｆが検知されると焦電型赤外線センサＳ１３はＨＩＧＨとなり、検知されない状態では焦電型赤外線センサＳ１３はＬＯＷとなっている。
【００２４】
焦電型赤外線センサＳ１１乃至Ｓ１５は、ＣＰＵ５に接続され、それぞれのＨＩＧＨ、ＬＯＷの信号が入力されて処理されるようになっている。ＣＰＵ５は中央演算処理手段でありシステムバスなどを介して各構成を統括することにより本発明の指示区画検知装置を全体的に制御する。ＲＯＭ６は書き換え不可能なメモリ手段であり、ＲＡＭ７は書き換え可能なメモリ手段である。ＲＯＭ６には、後述する区画決定テーブルなどが記憶保存されている。ＣＰＵ５は接続される各デバイスを統括的に制御する。ＲＯＭ６内には本発明の指示区画検知装置を制御するための制御プログラムなどが記憶されている。ＲＡＭ７は、ＣＰＵ５の主メモリ、ワークエリア等として機能する。出力制御部８は適当なインターフェイスを介して、他の情報処理装置、或いは表示装置などに本発明の指示区画検知装置による検知結果を送信するための制御部として機能するものである。
【００２５】
次に、焦電型赤外線センサＳ１１乃至Ｓ１５の全てによる検知領域についてみてみる。図３は焦電型赤外線センサＳ１１乃至Ｓ１５それぞれによる検知領域を示す図であり、図４は本発明の指示区画検知装置による検知可能区画を示す図であり、図５は検知可能区画に対応する指示対象エリア５０を示す図である。図１及び図３は指示区画検知装置を含む構成を正面からみた構成である。また、図１乃至図３では説明に必要な構成のみが抜き出されて示されている。
【００２６】
図１においては焦電型赤外線センサＳ１３の検知領域Ｒ１３のみが示されていたが、図３においては焦電型赤外線センサＳ１１乃至Ｓ１５の検知領域Ｒ１１乃至Ｒ１５の５つが示されている。図３に示すようにそれぞれの焦電型赤外線センサＳ１１乃至Ｓ１５の検知領域は略三角形のエリアであり、それぞれの焦電型赤外線センサの検知領域の一部は重なるように構成されている。
【００２７】
それぞれの焦電型赤外線センサの検知領域の境界（例えば、図１における検知領域Ｒ１３ではＡ−Ａ’及びＢ−Ｂ’）によって分割される区画を、単位区画Ｃとして定義する。この単位区画Ｃは、検知可能な最小の区画であり、図４に示すように、単位区画Ｃ１乃至Ｃ１５の１５の区画に分割することができる。本実施形態のような一列にｎ個の焦電型赤外線センサを配置した場合には、最大で（ｎ＋１）×ｎ／２の検知区画（単位区画Ｃ）を設定することが可能である。
【００２８】
本実施形態では、５つの焦電型赤外線センサによって得られる最大の単位区画数である１５を用いる例について説明しているが、全ての単位区画数を用いない構成とすることもできる。その場合には後に説明するアルゴリズムとは異なるものとすることもできる。例えば、複数の単位区画を同時に検出することを可能とするアルゴリズムを採用することもできる。
【００２９】
ここで、あらためて用語の定義をすると、焦電型赤外線センサそれぞれが検知するエリアは「検知領域」であり、複数の焦電型赤外線センサの検知領域の境界によって分割された、指示区画検知装置によって検知可能なエリアが「単位区画」である。
【００３０】
上述のような単位区画Ｃは指示区画検知装置による検知可能なエリアであり、人間が認識するわけではない。インターフェイスとして人間は指示対象エリア５０を認識し、それに応じて指などの指示体Ｆで操作を行うのであるから、指示対象エリア５０上での検知可能な区画としては、単位区画Ｃ１乃至Ｃ１５の１５区画に対応した、図５に示す区画Ｐ１乃至Ｐ１５の区画であるということができる。
【００３１】
次に以上のようにして構成された指示区画検知装置における検知動作について説明する。図６は本発明の実施の形態に係る指示区画検知装置の単位区画Ｃ８を例として検知動作を説明する図である。図６（ａ）は本発明の指示区画検知装置による検知可能区画を示す図であり、図６（ｂ）は指示区画検知装置における焦電型赤外線センサＳ１１乃至Ｓ１５のＨＩＧＨ、ＬＯＷ状態の別を示す図である。
【００３２】
図６（ａ）において、指示体Ｆが焦電型赤外線センサの検知エリアである単位区画Ｃ８に進入すると、それぞれの焦電型赤外線センサからは図６（ｂ）に示すように（焦電型赤外線センサＳ１１）＝ＬＯＷ、（焦電型赤外線センサＳ１２）＝ＬＯＷ、（焦電型赤外線センサＳ１３）＝ＨＩＧＨ、（焦電型赤外線センサＳ１４）＝ＨＩＧＨ、（焦電型赤外線センサＳ１５）＝ＬＯＷが出力されることとなる。それぞれの焦電型赤外線センサからこのような信号を受けたＣＰＵ５は、それぞれの信号出力パターンに基づいて指示体Ｆが進入している区画が単位区画Ｃ８である、との判定を下して検知動作を完了する。このようにして検知された単位区画に係る情報は、他の情報処理装置や表示装置などに送信される。単位区画に係る情報を受信した機器が情報処理装置の場合では入力情報として利用され、表示装置の場合では不図示の表示灯などの発光のための情報として利用される。ＣＰＵ５での判定のためのアルゴリズムについては種々のものがあるが、次にアルゴリズムの１例について説明する。
【００３３】
図７は本発明の実施の形態に係る指示区画検知装置における指示区画検知処理のフローチャートを示す図であり、図8は指示区画検知処理で用いる区画決定テーブルを示す図である。
【００３４】
図７において、ステップＳ１００で指示区画検知処理が開始されると、次にステップＳ１０１に進み、Ｓ１１乃至Ｓ１５の焦電型赤外線センサのいずれかがＨＩＧＨ状態となったかが判定される。ステップＳ１０１における判定の結果がＹＥＳであるときにはステップＳ１０２に進み、ステップＳ１０１における判定の結果がＹＥＳであるときには再びステップＳ１０１に戻り、ループする。
【００３５】
ステップＳ１０２では、Ｓ１１乃至Ｓ１５の焦電型赤外線センサの信号から、ＨＩＧＨ／ＬＯＷの組み合わせを取得する。次に、ステップＳ１０３では、焦電型赤外線センサＳ１１乃至Ｓ１５のＨＩＧＨ／ＬＯＷの出力信号と、図８に示す区画決定テーブルと照合を行う。この区画決定テーブルについてはＲＯＭ６に格納するとよい。
【００３６】
ステップＳ１０４では、焦電型赤外線センサのＨＩＧＨ／ＬＯＷの出力信号の組み合わせが区画決定テーブルと一致するものを選定して、指示区画Ｃを決定する。
【００３７】
ステップＳ１０５では、決定した指示区画Ｃに係る情報を出力制御部８から他の情報処理装置（又は表示装置）に出力する。ステップＳ１０６において、指示区画検知処理を終了する。
【００３８】
以上みてきたように本発明の構成によれば、指示対象エリア５０に検知のための装置構成を配する必要がなく、広い検知領域をカバーするものを製作しやすい。
【００３９】
また、本発明の構成では、焦電型赤外線センサＳ１１乃至Ｓ１５が用いられており、この焦電型赤外線センサＳ１１乃至Ｓ１５は発光素子や受光素子などのペアとして用いる必要がないため、部品点数を削減可能で、コスト的にも安く製作することができる。また、本発明の構成では焦電型赤外線センサの配置については精密に行わなければならないが、発光素子や受光素子などをペアとして用いるのに比べると、光軸合わせなどが不要で、高精度を要求されないために製造時の手間もかからない。
【００４０】
また、本発明の指示区画検知装置は、指示対象エリア５０の外側に設ける構成であり、かつ、高精度な調整が不要であるために、既存の案内板などに後付けで設置することが可能となる。
【００４１】
また、本発明の指示区画検知装置は、指示対象エリア５０検知のための焦電型赤外線センサＳ１１乃至Ｓ１５配置のレイアウト自由度が高い。
【００４２】
次に、焦電型赤外線センサを２次元の方向にわたって配置する例について説明する。図９は２次元に焦電型赤外線センサ配置したときの指示区画検知装置による検知可能区画を示す図である。図９は指示区画検知装置を含む構成を正面からみた構成である。また、図９では説明に必要な構成のみが抜き出されて示されており、ブロック図などは省略されている。
【００４３】
図９に示すように本実施形態では、1つの方向にＳ２１乃至Ｓ２７の焦電型赤外線センサが一列に配列され、その配列と垂直な方向にＳ３１乃至Ｓ３７の焦電型赤外線センサが一列に配列されたレイアウトとなっている。
【００４４】
図９においては、焦電型赤外線センサＳ２１乃至Ｓ２７のそれぞれの検知領域はＲ２１乃至Ｒ２７として図示されており、焦電型赤外線センサＳ３１乃至Ｓ３７のそれぞれの検知領域はＲ３１乃至Ｒ３７として図示されている。また、図９において、指示対象エリア５０、赤外線遮蔽物５１、赤外線遮蔽物５２は先の実施形態と同様であるので説明を省略する。
【００４５】
本実施形態では、焦電型赤外線センサの検知領域は、図示するような略矩形形をした所定の幅を持つエリアとなっている。このような検知領域は、前記のマルチレンズの設定によって適宜実現することができる。あるいは、このような検知領域は、複数の焦電型赤外線センサを組み合わせて1つのセンサと見立てることによっても実現することができる。
【００４６】
検知領域の広さとしては、検知領域Ｒ２４と検知領域Ｒ３４が最も広く、次に検知領域Ｒ２２、Ｒ２６、Ｒ３２、Ｒ３６が広く、検知領域Ｒ２１、Ｒ２３、Ｒ２５、Ｒ２７、Ｒ３１、Ｒ３３、Ｒ３５、Ｒ３７が最も狭く設定されている。
【００４７】
以上のような構成によれば、図９において示される指示対象エリア５０内の矩形1つ1つが単位区画となり、指示区画検知装置によって検知可能なエリアとなる。図９では、指示区画検知装置の単位区画ＣＸを例として検知動作を説明する。
【００４８】
図９において、指示体Ｆが焦電型赤外線センサの検知エリアである単位区画ＣＸに進入すると、一方向に配列された焦電型赤外線センサからは
（焦電型赤外線センサＳ２１）＝ＬＯＷ、（焦電型赤外線センサＳ２２）＝ＬＯＷ、（焦電型赤外線センサＳ２３）＝ＬＯＷ、（焦電型赤外線センサＳ２４）＝ＨＩＧＨ、（焦電型赤外線センサＳ２５）＝ＬＯＷ、（焦電型赤外線センサＳ２６）＝ＬＯＷ、（焦電型赤外線センサＳ２１）＝ＬＯＷが出力され、また、それと垂直方向に配列された焦電型赤外線センサからは（焦電型赤外線センサＳ３１）＝ＬＯＷ、（焦電型赤外線センサＳ３２）＝ＨＩＧＨ、（焦電型赤外線センサＳ３３）＝ＬＯＷ、（焦電型赤外線センサＳ３４）＝ＬＯＷ、（焦電型赤外線センサＳ３５）＝ＬＯＷ、（焦電型赤外線センサＳ３６）＝ＬＯＷ、（焦電型赤外線センサＳ３１）＝ＬＯＷが出力されることとなる。
【００４９】
それぞれの焦電型赤外線センサからこのような信号を受けたＣＰＵ５は、それぞれの信号出力パターンに基づいて指示体Ｆが進入している区画が単位区画ＣＸである、との判定を下して検知動作を完了する。このようにして検知された単位区画に係る情報は、他の情報処理装置や表示装置などに送信される。単位区画に係る情報を受信した機器が情報処理装置の場合では入力情報として利用され、表示装置の場合では不図示の表示灯などの発光のための情報として利用される。本実施形態においても、ＣＰＵ５での判定のためのアルゴリズムについては種々のものがあり得る。
【００５０】
本実施形態のような焦電型赤外線センサの配置・設定によれば、ｎ個の焦電型赤外線センサを設置した場合には、最大で（ｎ−１）2の検知区画（単位区画Ｃ）を設定することが可能である。
【００５１】
本実施形態では、Ｓ２１乃至Ｓ２７、Ｓ３１乃至Ｓ３７の計１４の焦電型赤外線センサが用いられているので、指示区画検知装置によって得られる最大の単位区画数である１６９の区画を検知することが可能となる。本実施形態においても、全ての単位区画数を用いない構成とすることもできる。その場合には後に説明するアルゴリズムとは異なるものとすることもできる。例えば、複数の単位区画を同時に検出することを可能とするアルゴリズムを採用することもできる。
【００５２】
本実施形態によっても、先の構成と実施形態と同様に、指示対象エリア５０に検知のための装置構成を配する必要がなく、広い検知領域をカバーするものを製作しやすいなどの、先の実施形態と等価な効果を奏するものである。
【図面の簡単な説明】
【００５３】
【図１】本発明の実施の形態に係る指示区画検知装置の実装状態を示す図である。
【図２】本発明の実施の形態に係る指示区画検知装置のブロック構成を示す図である。
【図３】焦電型赤外線センサＳ１１乃至Ｓ１５それぞれによる検知領域を示す図である。
【図４】本発明の指示区画検知装置による検知可能区画を示す図である。
【図５】検知可能区画に対応する指示対象エリア５０を示す図である。
【図６】本発明の実施の形態に係る指示区画検知装置の単位区画Ｃ８を例として検知動作を説明する図である。
【図７】本発明の実施の形態に係る指示区画検知装置における指示区画検知処理のフローチャートを示す図である。
【図８】指示区画検知処理で用いる区画決定テーブルを示す図である。
【図９】２次元に焦電型赤外線センサ配置したときの指示区画検知装置による検知可能区画を示す図である。
【符号の説明】
【００５４】
Ｓ１１乃至Ｓ１５・・・焦電型赤外線センサ、５・・・ＣＰＵ、６・・・ＲＯＭ、７・・・ＲＡＭ、８・・・出力制御部、５０・・・指示対象エリア、５１・・・赤外線遮蔽物、５２・・・赤外線遮蔽物
【図２】
2009080652.tif 000003
【図３】
2009080652.tif 000004
【図４】
2009080652.tif 000005
【図５】
2009080652.tif 000006
【図６】
2009080652.tif 000007
【図７】
2009080652.tif 000008
【図８】
2009080652.tif 000009
【図９】
2009080652.tif 000010
【図１】
2009080652.tif 000011